(57)【特許請求の範囲】
【請求項１】
人体のための支持要素であって、パッド部品（３）およびベース部品または本体（２）を備え、前記ベース部品（２）は、使用時に上側の表面（２ａ）と使用時に下側の表面（２ｂ）とを備え、前記パッド部品（３）は、使用時に上側の表面（３ａ）と、前記ベース部品（２）の前記使用時に上側の表面（２ａ）と係合するように設計された使用時に下側の表面（３ｂ）とを備え、前記支持要素はさらに、
前記パッド部品（３）に対する前記ベース部品（２）の取外し可能な係留手段（７，８，９，１０）を備えることと、前記ベース部品（２）または前記パッド部品（３）に対する少なくとも１つの備品（５または５０）の係合手段（４ａ，４ｂ，４ｃ，４ｄ）を備えることとを特徴とし、
前記係合手段（４ａ，４ｂ，４ｃ，４ｄ）は、前記ベース部品（２）の前記上側の表面（２ａ）と前記パッド部品（３）の前記下側の表面（３ｂ）との間の領域において作用するかまたは動作するように意図され、
前記係合手段（４ａ，４ｂ，４ｃ，４ｄ）によって係合可能な第１の端部（５ｂ）と、前記ベース部品（２）の前記使用時に上側の表面（２ａ）と前記パッド部品（３）の前記使用時に下側の表面（３ｂ）との間の領域の外側を延在する第２の端部（５ｃ）とを有する少なくとも１つのロッドもしくはステム部品（５ａ）または突起部を含む少なくとも１つの備品（５）を備えることを特徴とする、支持要素。
【請求項２】
前記係合手段は、前記ベース部品（２）にまたは前記パッド部品（３）に形成された少なくとも１つの第１の穴または係合開口部（４ａ）を含み、前記備品（５または５０）を前記ベース部品（２）にまたは前記パッド部品（３）に固定する前記それぞれの第１の穴または係合開口部（４ａ）と係合可能な少なくとも１つのねじもしくはボルト要素（４ｂ）または結合要素も含むことを特徴とする、請求項１に記載の支持要素。
【請求項３】
前記パッド部品（３）にまたは前記ベース部品（２）に少なくとも１つのハウジングシート（６）を備え、
前記少なくとも１つのねじもしくはボルト要素（４ｂ）または結合要素は、ヘッド（４ｃ）および長手方向展開体を含むことを特徴とし、前記長手方向展開体は、使用時に、それぞれの第１の穴または係合開口部（４ａ）に取外し可能に挿入可能であり、前記ヘッド（４ｃ）は、それぞれのハウジングシート（６）に収容可能である、請求項２に記載の支持要素。
【請求項４】
前記少なくとも１つのロッドもしくはステム部品（５ａ）または突起部の前記第１の端部（５ｂ）は、少なくとも１つの第２の係合開口部（４ｆ）が設けられたプレート（４ｄ）に固定されるかまたは一体であり、前記第２の係合開口部（４ｆ）は、前記ベース部品（２）またはパッド部品（３）においてそれぞれの第１の穴または係合開口部（４ａ）と位置合せされることが意図され、前記少なくとも１つのねじもしくはボルト要素（４ｂ）または結合要素は、位置合せされた第１の係合開口部（４ａ）および第２の係合開口部（４ｆ）それぞれに挿入され、それによって前記少なくとも１つのプレート（４ｄ）と、したがって前記備品（５）とを前記ベース部品（２）または前記パッド部品（３）に固定する、請求項１〜３のうちいずれか１項に記載の支持要素。
【請求項５】
前記パッド部品（３）に対する前記ベース部品（２）の前記取外し可能な係留手段は、前記ベース部品（２）と前記パッド部品（３）との間の領域の外側を延在するグリップ部分（７ａ）を含むことを特徴とし、前記グリップ部分（７ａ）は、前記ベース部品（２）と前記パッド部品（３）との間の領域の外側から係合可能であり、それにより、前記ベース部品（２）および前記パッド部品（３）が解放されるかまたは解放可能である少なくとも１つの静止位置と、前記ベース部品（２）および前記パッド部品（３）が互いに堅く係留される少なくとも１つの作業位置との間での前記取外し可能な係留手段の手作業による変位を可能にする、請求項１〜４のうちいずれか１項に記載の支持要素。
【請求項６】
前記取外し可能な係留手段は、
・前記ベース部品（２）にまたは前記パッド部品（３）において得られる係留開口部（８）に装着可能な可動部品またはキー部品（７）を備え、前記可動部品またはキー部品（７）は、ベース部品（２）とパッド部品（３）との間の領域において延在する第１の拘束手段（９）を有し、さらに、
・前記ベース部品（２）および前記パッド部品（３）のうちの他方にあり、前記可動部品またはキー部品（７）が前記係留開口部（８）に挿入され前記ベース部品（２）が前記パッド部品（３）と係合されると、前記第１の拘束手段（９）と係合するように意図される第２の拘束手段（１０）を備えることを特徴とする、請求項１〜５のうちいずれか１項に記載の支持要素。
【請求項７】
前記可動部品またはキー部品（７）は、前記係留開口部（８）の対称軸（ｘ−ｘ）を中心に前記係留開口部（８）に回転可能に装着されることを特徴とする、請求項６に記載の支持要素。
【請求項８】
前記取外し可能な係留手段は、差込み係留手段を備えることを特徴とする、請求項６または７に記載の支持要素。
【請求項９】
前記第１の拘束手段は、互いに周方向に離間された複数のタブ（９ａ）がそこから延在するタング（９）を含み、
前記第２の拘束手段は、それぞれの歯もしくは突起がそこから延在するか、または前記タブ（９ａ）と係合するように意図される溝が形成されるスリーブ要素（１０）を含むことを特徴とする、請求項６〜８のうちいずれか１項に記載の支持要素。
【請求項１０】
前記取外し可能な係留手段は、迅速取付構造体を含むことを特徴とする、請求項６〜９のうちいずれか１項に記載の支持要素。
【請求項１１】
前記可動部品またはキー部品（７）は、前記迅速取付構造体を含むことを特徴とする、請求項１０に記載の、かつ請求項６から９のうちいずれか１項に記載の支持要素。
【請求項１２】
前記可動部品またはキー部品（７）はグリップ部分（７ａ）を含み、前記迅速取付構造体は前記グリップ部分（７ａ）上に形成されることを特徴とする、請求項１１に記載の支持要素。
【請求項１３】
前記可動部品またはキー部品（７）は本体またはメインプレート（７ｂ）を含み、前記第１の拘束手段（９）は、前記本体またはメインプレート（７ｂ）の使用時に上側の表面から上方に突出し、前記グリップ部分（７ａ）は前記本体またはメインプレート（７ｂ）の使用時に外側である他方の表面から突出し、前記グリップ部分（７ａ）は、迅速取付構造体の雌部であるように意図される貫通開口部（１１）を区切るブリッジ要素を含むことを特徴とする、請求項１２に記載の支持要素。
【請求項１４】
前記可動部品またはキー部品（７）の前記本体（７ｂ）は、接続手段（１３，１４）によって前記係留開口部（８）において所定の位置に係留可能であることを特徴とする、請求項１３に記載の支持要素。
【請求項１５】
前記係留開口部（８）が形成されるかまたは区切られる前記ベース部品（２）の前記上側の表面（２ａ）または前記パッド部品（３）の下側の表面（３ｂ）から、くぼんだシート（１６）と形状係合するように意図され、前記パッド部品（３）および前記ベース部品（２）のうちの他方上に形成された管状壁セクション（１５）が前記係留開口部（８）の周りに延在することを特徴とする、請求項６〜１４のうちいずれか１項に記載の支持要素。
【請求項１６】
前記係留開口部（８）が形成されるかまたは区切られる前記ベース部品（２）の前記上側の表面（２ａ）または前記パッド部品（３）の下側の表面（３ｂ）から、前記可動部品またはキー部品（７）と係合し、それによって前記ベース部品（２）または前記パッド部品（３）それぞれからの離脱または分解を防ぎつつ前記軸（ｘ−ｘ）の周りを前記可動部品またはキー部品（７）が回転することを可能にするように意図される複数の角度をなして離間された止め歯（１７）が、前記ベース部品（２）と前記パッド部品（３）との間の領域の内側に向かって延在することを特徴とする、請求項６〜１５のうちいずれか１項に記載の支持要素。
【請求項１７】
前記パッド部品（３）の下側の表面（３ｂ）からまたは前記ベース部品（２）の上側の表面（２ａ）から前記支持要素（１）の前部（Ｆ）または後部（Ｒ）に向かって突出する少なくとも１つの舌（２１）を備え、前記舌（２１）は、前記ベース部品（２）と前記パッド部品（３）との相対的な摺動によって、前記ベース部品（２）の前記上側の表面（２ａ）および前記パッド部品（３）の前記下側の表面（３ｂ）のうちの他方に形成されたシート（２２）と係合可能であることを特徴とする、請求項１〜１６のうちいずれか１項に記載の支持要素。
【請求項１８】
車両、自転車またはオートバイのためのサドルを備えることを特徴とする、請求項１〜１７のうちいずれか１項に記載の支持要素。
【請求項１９】
前記ベース部品（２）は、寸法および／または形状が互いに異なる複数のパッド部品（３）と組合わせて、かつ前記複数のパッド部品（３）に拘束されて使用されることができるような構造および構成を有し、したがって同じ前記ベース部品（２）から始まる異なる種類の支持要素を得ることが可能であることを特徴とする、請求項１〜１８のうちいずれか１項に記載の支持要素。
【請求項２０】
少なくとも１つのベース部品（２）と、
互いに異なる形状および／または寸法を有する少なくとも２つのパッド部品（３）とを備え、
各パッド部品には、前記ベース部品（２）に対して取外し可能な係留手段が設けられることを特徴とする、請求項１９に記載の支持要素の実現のためのキット。
【発明の詳細な説明】
【技術分野】
【０００１】
発明の技術分野
本発明は、車両、たとえば自転車、オートバイ、または他の車両のためのサドルなどの、人体のための支持要素に関する。
【背景技術】
【０００２】
従来の技術水準
自転車のための多くのサドルが今日の時点で提案されており、いわゆるＩＣＳ（一体型クリップシステム）部品、つまりバッグなどの備品をサドルと係合するかまたは係留するための溝などを区切る部品も任意に設けられる。
【０００３】
自転車のフレームに通常は直接固定可能であるかまたは拘束可能である本体と、本体に固定され、本体よりも柔らかい材料からなるパッドとが設けられたサドルも提案されている。
【０００４】
しかしながら、これまで提案されてきたサドルはあまり組立てが容易ではなく、それぞれの組立方法は非常に面倒である。
【０００５】
また、ＩＣＳを前記サドルに設けることは困難かつ費用がかかる。
国際公開第２００７０３１９４３Ａ１号、欧州特許出願公開第２０５２９５５Ａ２号、および国際公開第２００７０３４４２２Ａ１号は技術水準に係るサドルを教示している。
【発明の概要】
【発明が解決しようとする課題】
【０００６】
発明の目的
本発明の技術的課題は、したがって上記の欠点がないサドルなどの、人体のための支持要素を考案することによって、技術水準を向上させることである。
【課題を解決するための手段】
【０００７】
前記技術的課題の範囲内において、本発明の目的は、容易にかつ迅速に組立てられ交換されるサドルを考案することである。
【０００８】
本発明の別の目的は、容易にかつ確実に組立てられるサドルを提供することである。
本発明のさらなる目的は、１つ以上の備品を安定して係留するかまたは拘束することが可能なサドルを提供することである。
【０００９】
本発明のさらなる目的は、破壊行為および窃盗によって引起こされる損傷を回避するかまたはいずれにせよ制限することが可能なサドルを提供することである。
【００１０】
本発明の別の目的は、摩耗部分または破損部分を容易に交換することが可能であり、したがってより環境に優しいサドルを提供することである。
【００１１】
発明の一態様によれば、請求項１に記載の支持要素が提供される。
従属請求項は、発明の好ましくかつ有利な実施例を表す。
【００１２】
図面の簡単な説明
発明の他の特徴および利点は、添付の図面の図示として例示される支持要素の実施例の説明からより明らかとなる。
【図面の簡単な説明】
【００１３】
【図１】本発明に係るサドルの部品のやや上からの分解斜視図である。
【図２】図１と同様であるが備品のないサドルの図である。
【図３】図２のサドルの部品のやや下からの分解斜視図である。
【図４】図２のサドルのベース部品または本体のやや上からの斜視図である。
【図５】図４の細部の拡大図である。
【図６】図４のベース部品または本体の細部のやや下からの斜視図である。
【図７】本発明に係る支持要素のそれぞれの変形例のやや下からの分解した斜視図である。
【図８】本発明に係る支持要素のそれぞれの変形例のやや下からの分解した斜視図である。
【図９】本発明に係るパッド部品の平面図である。
【図１０】本発明に係るパッド部品のやや下からの斜視図である。
【図１１】本発明に係る支持要素のベース部品の平面図である。
【図１２】本発明に係る支持要素のベース部品のやや上からの斜視図である。
【図１３】本発明に係る支持要素の可動またはキー部品の平面図である。
【図１４】本発明に係る支持要素の可動またはキー部品の斜視図である。
【図１５】本発明に係る支持要素の可動またはキー部品の側面図である。
【図１６】本発明に係る支持要素の可動またはキー部品の正面図である。
【図１７】本発明に係る支持要素の別の実施例の細部の底面図である。
【図１８】図１７の細部を示す図である。
【図１９】図１７の細部の上面図である。
【図２０】図１９の線ＸＸ−ＸＸに沿った断面図である。
【図２１】図１７のロック／ロック解除手段の上面斜視図である。
【図２２】図１７のロック／ロック解除手段の底面斜視図である。
【図２３】図１７のキー部品の上面斜視図である。
【図２４】図１７のキー部品の底面斜視図である。
【図２５】本発明に係る支持要素の底面図である。
【図２６】図２５の支持要素の断面図である。
【図２７】図２５の支持要素の部品の細部を示す図である。
【発明を実施するための形態】
【００１４】
添付の図面において、同一の部分または部品は同じ参照番号によって識別される。
発明の実施例
図を参照して、車両、たとえば自転車またはオートバイのためのサドルなどの、人体のための支持要素１が例示される。
【００１５】
支持要素１は、たとえば、自転車またはオートバイのフレームに拘束可能なベース部品または本体２と、パッド部品３とを含む。支持要素１が周知のように自転車のためのサドルである場合、端部で接続された１対の棒または枝によって形成されるＵ字型の部品を通常含むいわゆる「レール」またはフォーク部品を、ベース部品２とフレームとの間に介在させ得る。
【００１６】
ベース部品２は、使用時に上側または内側の表面２ａと、使用時に下側または外側の表面２ｂとを含み、パッド部品３は、使用時に上側または外側の表面３ａと、使用時に下側または内側の表面３ｂとを含み、表面３ｂは、たとえば表面自体に重なるかまたは接触することによって、使用時にベース部品または本体２の上側の表面２ａと係合することが意図される。
【００１７】
ベース部品２の表面２ａおよび２ｂならびにパッド部品３の表面３ａおよび３ｂは、実質的に一致し、かつ／または補足的な形状を有する。
【００１８】
好ましくは、ベース部品２の上側表面２ａは、パッド部品３の下側表面３ｂのように実質的に構成され、したがって、支持要素１が組立てられると、これらは全延長部分について互いに係合可能であるかまたは当接可能である。
【００１９】
支持要素１がサドルである場合、パッド３の上側表面３ａは、好ましくは、実質的に自由であり、ユーザのための座面を構成することが意図される。この点に関して、たとえば革または他の天然もしくは合成材料からなるカバーによって全体的にまたは部分的にパッド部品３を覆うこともできる。
【００２０】
好ましくは、パッド部品３は軟性材料からなり、特にベース部品２よりも柔かい。たとえば、パッドは、ウレタンフォーム、エラストマー材料などといった材料からなることができる。
【００２１】
また、柔軟性、弾性、および／またはパッド部品３とは異なる色および／または物理的もしくは粘弾性特性を有する１つ以上の挿入物をパッド部品３に埋め込むことができる。
【００２２】
パッド部品３は、剛性材料、たとえば、発泡体またはより柔かい材料を貼付けることができるプラスチックからなるベースも有することができる。
【００２３】
支持要素１は、その場合、パッド部品３に対するベース部品２の取外し可能な係留手段を含み、したがってベース部品２およびパッド部品３を容易にかつ迅速に、組立てかつ分解することが可能である。
【００２４】
好ましくは、本発明に係る支持要素１は、ハンドル５（特に図１参照）または保護部品５０などといった備品の係合手段４ａ，４ｂ，４ｅを含み、係合手段は、ベース部品または本体２とパッド部品３との間、より望ましくはベース部品２の上側表面２とパッド部品３の下側表面３ｂとの間の領域において、作動するかまたは動作することが意図される。備品は、上記のように、ハンドル、保護部品、ライト、または他の要素を含むことができる。
【００２５】
係合手段は、たとえば、ベース部品２にまたはパッド部品３に形成された貫通もしくは非貫通孔または開口部である１つ以上の第１の穴もしくは係合開口部４ａを含むことができ、備品５または５０をベース部品２またはパッド部品３に固定するように、それぞれの第１の穴または係合開口部４ａに各々係合可能な１つ以上のねじもしくはボルト要素４ｂまたは結合要素も含む。備品の固定は、開口部４ａと係合可能な自己タッピングねじによって得ることもできる。
【００２６】
また、ベース部品２とパッド部品３とのうちの他方の第１の係合開口部４ａに挿入されたねじまたはボルト４ｂのヘッド４ｃのために、ハウジングシート６をパッド部品３にまたはベース部品２に設けることができる。ねじまたはボルト４ｂの主な展開体（図では見えない）は、その代りに、たとえばそれぞれの穴または開口部４ａにねじ込むことによって、取外し可能に挿入することができる。
【００２７】
本発明に係る支持要素は、好ましくは、係合手段４ａ，４ｂによってベース部品２もしくはパッド部品３と係合可能な第１の端部５ｂと、ベース部品２の上側表面２ａとパッド部品３の下側表面３ｂとの間の領域の外側、またはいずれにせよ該領域の遠位において延在する他方または第２の端部５ｃとを有するロッドもしくはステム部品５ａまたは突起部分を含む備品５を含む。ロッドもしくはステム部品５ａまたは突起部分は、図示したものとは異なるやり方で形作られてもよい。
【００２８】
図１に例示される実施例を特に参照して、備品は、接続要素５ｄによって架橋された２つのロッドまたはステム５ａを有する実質的にＵ字型のハンドル５を含む。
【００２９】
ハンドル５は、柔かいグリップ要素で覆われることができる。
ベース部品２には、その場合、好ましくはその下側表面２ａにおいてフォーク部品またはレールＲＡ（図２５参照）のための取付け手段、たとえばレールＲＡの先端を挿入するためにベース部品２の前方におけるフォークＲＡおよびシート２ｄの長さに対してそれぞれの開口部を区切る２つの突出ブロック２ｃをベース部品２の背部に設けることができる。
【００３０】
発明の一形式において、各ロッド５ａの端部５ｂをプレート４ｄに固定する（たとえば接着または溶接する）ことができ、プレート４ｄには、ベース部品２またはパッド部品３のそれぞれの穴または係合開口部４ａと各々位置合せされることができる１つ以上の第２の係合開口部４ｆが設けられる（特に図７および図８参照）。そのような位置合せステップ後、ボルトまたはねじ４ｂが、このように位置合せされた開口部（４ａおよび４ｆ）に挿入され、それによって各プレート４ｄ、さらにロッド５ａおよび備品５または５０それぞれをベース部品２またはパッド部品３に固定する。
【００３１】
発明のさらなる一形式において、各ロッド５ａの端部５ｂは上記のプレート４ｄと一体とすることができる。
【００３２】
また、各ロッド５ａの端部５ｂとそれぞれのプレート４ｄとの間には、端部５ｂおよびプレート４ｄのエッジより寸法が大きく、ベース部品２およびパッド部品３が互いに組立てられた時にプレート４ｄにおいてベース部品２とパッド部品３との間の間隙の一部を覆い取囲むことが意図されるボスまたはマスク要素５ｆを設けることができる（ロッド５ａおよびプレート４ｄに固定されるかまたは固定可能である）。
【００３３】
変形例（図２〜図４参照）によれば、備品は、図１を参照して上記したものと全く同様に、それぞれのプレート４ｄがそこから任意に横切って延在する（側面）保護部品５０を含む。図に例示される具体的かつ非限定的な実施例を参照して、支持要素は、一方が支持要素の一方側に、他方が反対側に配置された２つの保護部品５０を含む。
【００３４】
図７を参照して、複数の備品が設けられた支持要素、たとえば上に示されるように固定されたハンドル５および保護部品５０が例示される。この点に関して、任意に、ハンドル５の同じ係合穴４ａおよび同じボルト４ｂによって各保護部品５０を固定することができる。
【００３５】
プレート４ｄまたは各プレート４ｄをベース部品２上に正確かつ迅速に位置決めするために、ベース部品２に切欠きまたは溝を設けることができ、そこにプレート４ｄのリリーフ部分４ｅを挿入可能である、たとえば嵌合挿入可能である。代替的に、プレート４ｄは、ベース部品２またはパッド部品３のくぼんだ部分と位置合わせ可能な開口部４ｇ（特に図７および図８参照）を含むことができる。
【００３６】
ベース部品２およびパッド部品３が組立てられた時、それぞれのプレート４ｄを形状結合し、かつ受取るために、１つ以上の下げられた領域３ｃを代りにパッド部品３において区切ることができる。プレート４ｄまたは各プレート４ｄがリリーフ部分４ｅを含むか、またはくぼんだ部分が上記のように設けられると、パッド部品３からブロック部品３ｄが突出することができる。ブロック部品３ｄは、ベース部品２およびパッド部品３が組立てられた時に、プレート４ｄのそれぞれのくぼんだもしくは下げられた部分４ｅまたは部品２もしくは３のくぼんだ部分に挿入されるかまたは形状係合されることが意図される。
【００３７】
また、ブロック部品３ｄが設けられる場合、ブロック部品３ｄは、パッド部品３をベース部品２に対して中心決めする役割を有する以上に、支持要素の全体に対してさらに増大した安定性を提供することができ、したがって２つの部品２および３の相互の長手方向の並進移動を妨げる。
【００３８】
当然、理解されるようにかつ上記したように、任意に、記載したプレート４ｄによって備品５または５０、たとえばロッド５ａをそれに拘束するために、第１の係合開口部４ａをパッド部品３に形成することができる。この場合、下げられた領域３ｃ、ハウジングシート６、およびくぼんだまたは下げられた部分４ｅは、ベース部品もしくは本体２に形成することができるか、またはそこから延在することができる。
【００３９】
理解されるように、備品は、そのような部品２，３の間で、またはより望ましくはそれぞれの上側表面２ａと下側表面３ｂとの間で別のやり方でも動作する係合手段によって、ベース部品２およびパッド部品３に拘束され得る。たとえば、備品のまたはそのロッドの端部をベース部品２とパッド部品３との間に配置して、そのような部品２，３を互いに締付けることによって備品５を所定の位置にブロックし得る。この点に関して、備品の端部は、ベース部品２のおよび／またはパッド部品３のそれぞれの部分と形状係合するように形作り得る。任意に、備品の端部には、ベース部品２および／またはパッド部品３のスロットとまたは突出部分とそれぞれ形状係合するように意図される突起または穴があり得る。
【００４０】
なお、パッド部品３は、特にベース部品２とパッド部品３との間の接続の領域において、かつ実質的に任意の備品を受取る高さまたは厚みについて圧縮可能であってもよく、したがって備品が設けられていなくても、ベース部品２とパッド部品３との間において、好適かつ実質的に補足的な結合が保証される。この手段により、備品なしでサドルが組立てられると、後者の接続の点において隙間が目に見える。当該隙間は、理解されるように、顕著な見苦しい作用をもたらすことになる。
【００４１】
支持要素（特に図７および図８参照）は、たとえば硬質プラスチックまたは同様の材料からなり、使用時にベース部品２のレールおよび一部を取囲みかつ覆うように意図されるカバーまたはフレーム部品１２も含むことができる。
【００４２】
パッド部品３に対するベース部品２の取外し可能な係留手段に関して、それらは好ましくはグリップまたは捕捉部分７ａを含む。グリップまたは捕捉部分７ａは、たとえばベース部品２の下側表面２ｂまたはパッド部品３の上側表面３ａにおいて、ベース部品２とパッド部品３との間の領域の外側を延在するかまたは外側から係合可能であり、ベース部品２およびパッド部品３が解放されるかまたは解放可能である少なくとも１つの静止位置（たとえば図６参照）と、ベース部品２およびパッド部品３が互いに堅く係留される少なくとも１つの作業位置（たとえば図３参照）との間での取外し可能な係留手段の手作業による移動を可能にする。グリップまたは捕捉部分７ａの存在により、オペレータまたはユーザは、したがって、ドライバーなどといった工具の必要なしに、取外し可能な係留手段を作動させることができる。
【００４３】
また、取外し可能な係留手段は、以下にさらに記載されるように、１つ以上の迅速取付構造体すなわちＩＣＳを含むことができる。
【００４４】
好ましくは、取外し可能な係留手段は、
・たとえば開口部８の対称軸ｘ−ｘを中心として係留開口部８に装着可能な、たとえば回転可能に装着された可動またはキー部品７を含み、当該開口部は、ベース部品２においてまたはパッド部品３において得られ、キー部品７は、ベース部品２とパッド部品３との間の領域に延在する第１の拘束手段９も有することができ、さらに、
・パッド部品３とベース部品２とのうちの他方にある第２の拘束手段１０を含み、第２の拘束手段１０は、キー部品７がそれぞれの係留開口部８に挿入され、ベース部品２がパッド部品３と係合されると、第１の拘束手段９と係合するように意図される。
【００４５】
この点に関して、取外し可能な係留手段は、差込み係留手段を含むことができる。
理解されるように、キー部品７を開口部８の長手軸ｘ−ｘに沿って挿入することもでき、したがって軸ｘ−ｘを中心として回転可能ではない。そのような場合、キー部品７は、制御手段、たとえばプライヤーなどを有することができ、該制御手段は、ベース部品２にまたはパッド部品３に形成された係留開口部８に挿入可能な部分に延在する対応する第１の拘束手段の変位を制御するように意図され、かつパッド部品３またはベース部品２の他方において、対応する第２の拘束手段と係合するように意図される。
【００４６】
第１の拘束手段は、そこから複数のタブ９ａが延在し、周方向に互いに離間され、タング９の一方のエッジから他方のエッジまで螺旋状の形態であるタングまたはブッシング９をたとえば含むことができる。第２の拘束手段は、それぞれの歯もしくは突起がそこから延在するかまたは溝が形成され、恐らく差し込みピンのようにタブ９ａと係合するように意図されるスリーブ要素１０を含むことができる。タブ９ａおよび歯または突起は、好ましくは弾力的に製造可能である。
【００４７】
好ましくは、タング９およびスリーブ１０の両方は、支持要素が組立てられた時に軸ｘ−ｘに対応する長手軸を有する管状要素を含む。
【００４８】
キー部品７はまた、迅速取付構造体すなわちＩＣＳを含むことができる。この点に関し、キー部品７は、（メインプレート７ｂ）第１の拘束手段９がそこから延在する使用時に内側の表面から出発する任意に実質的に平坦な本体またはメインプレート７ｂを含むことができ、使用時に他方の外側の表面からグリップ部分７ａが突出し、該グリップ部分は、ＩＣＳの雌部として作用することができる開口部、好ましくは貫通開口部１１を区切るブリッジ要素を含むことができる。
【００４９】
キー部品７の本体７ｂは、ベース部品２またはパッド部品３の係留開口部８において、たとえば接続手段１３，１４によって所定の位置に係留可能である。
【００５０】
接続手段１３，１４は、たとえばスナップ接続手段である。
接続手段は、キー部品７の外壁またはエッジから延在する１つ以上の（図では２つの）つまみ１３を含むことができ、つまみ１３は、開口部８において区切られたそれぞれのくぼんだまたは揺りかご状のセクション１４（図では４つ）と係合するように意図される。
【００５１】
特に、たとえば互いに９０°で角度をなして離間された４つのくぼんだセクション１４をたとえば設けることができ、たとえば１８０°の角度をなして離間された２つのつまみ１３は、それぞれのくぼんだセクション１４と係合するように意図され、したがってキー部品は、いくつかの動作位置、たとえば１つの作業位置および１つの静止位置においてベース部品２またはパッド部品３に固定されることができる。
【００５２】
可動部品７の本体７ｂは、たとえば、対称軸を中心とする回転体のように構成されることができ、該軸は、組立位置では軸ｘ−ｘと実質的に一致する。この場合、本体７ｂは、一方の使用時に最も外側から他方の使用時に最も内側に、ベース、たとえば環状の壁７ｃを有することもでき、壁７ｃは、そこから第１の拘束手段９が延在されるブロック９ｂを挿入するための穴または開口部を区切り、次いで実質的に円筒状の壁７ｄがベース壁７ｃの外縁から延在し、フランジ付セクション７ｅで終わり、つまみ１３がその外縁から延在する。
【００５３】
ベース壁７ｃは、上記のように、ブロック９ｂの雄ねじ部分との係合のための雌ねじ穴または開口部を区切ることができる。当然、ブロック９ｂは本体７ｂと一体とされ得るか、または別のやり方で、たとえばスナップ結合手段を介してもしくは嵌合挿入などによって本体７ｂに係留され得る。
【００５４】
グリップ部分７ａが存在する場合は、ベース壁７ｃの使用時に外側の表面から始まり、円筒壁７ｄの反対の方向に延在することができる。
【００５５】
発明の一形式において、キー部品７を位置決めするために開口部８が形成されるかもしくは区切られるベース部品２の上側表面２ａまたはパッド部品３の下側表面３ｂから、好ましくは係留開口部８の周りに、たとえばわずかに切頭円錐形の管状壁１５のセクションが延在し、該セクションは、パッド部品３とベース部品２とのうちの他方の上に得られるくぼんだシート１６と形状係合するように意図される。
【００５６】
キー部品７を位置決めするために開口部８が形成されるかもしくは区切られるベース部品２の上側表面から、またはパッド部品３の下側表面から始まり、ベース部品２とパッド部品３との間の領域の内側に向かって、角度をなして離間された複数の止め歯１７が延在し、止め歯１７は、可動部品７と係合して、ベース部品２またはパッド部品３からの可動部品の離脱または分解を防ぎつつ、可動部品が軸ｘ−ｘを中心として回転することを可能にするように意図される。
【００５７】
特に、係留開口部８は、ベース部品２またはパッド部品３それぞれの内側から外側まで、実質的に円筒状のセクション１８を含み、円筒状のセクション１８は、任意に管状壁１５によって区切られ、くぼんだもしくは揺りかご状のセクション１４をそこに得ることができる、次いで、止め歯１７がそこから延在されることができ、軸ｘ−ｘに関してわずかに傾けることができる横断壁１９を含む。この点に関し、止め歯は、たとえば、横断壁１９に拘束される、軸ｘ−ｘから遠い端部と、軸ｘ−ｘに近いかまたは近接している自由端とを有する。止め歯１７の自由端は、軸ｘ−ｘを横切るかまたは直交する面において、くぼんだセクション１４と実質的に面一であるかまたは位置合せされる。また、くぼんだセクション１４は、それぞれの実質的に円筒状のセクション１８に対して、２つの径方向拡大部分１４ａによって区切られることができる。
【００５８】
好ましくは、止め歯のない軸ｘ−ｘのまわりに１つ以上の円周セクションが設けられ、該セクションは、ベース部品２およびパッド部品３が安定して係留される作業位置に可動部品がある時に１つ以上のそれぞれのつまみ１３を受取るように意図されるくぼんだセクション１４の展開セクションに対応する。
【００５９】
止め歯１７または望ましくはそれぞれの自由端は、フランジ付セクション７ｅの直径より小さく、かつ任意につまみ１３間または後者の自由端１３ａ間の距離よりも小さい半径で円周に沿って位置合せされる。そのような構成により、可動部品７がベース部品２またはパッド部品３それぞれに組立てられると、止め歯１７によって可動部品７の回転が可能となるが、可動部品７が開口部８から出ることは可能とならない。
【００６０】
ベース部品２またはパッド部品３によって区切られ、キー部品７を収容するかまたは係合するように意図される開口部８は、特に後者が後者の実質的に拡大された後部領域においてサドルを含む場合、支持要素１の後部領域に区切ることができる。
【００６１】
支持要素は、パッド部品３の下側表面３ｂからまたはベース部品２の上側表面２ａから、支持要素の前部Ｆまたは後部Ｒに向かって突出する少なくとも１つの舌２１を含むこともでき、舌２１は、ベース部品２とパッド部品３との相対的な摺動により、ベース部品２の上側表面２ａおよびパッド部品３の下側表面３ｂのうち他方に形成されたシート２２と係合可能である。支持要素がサドルを含む場合、舌２１およびそれぞれのシート２２は、ベース部品２およびパッド部品３の先細りになった前部部分において得られる。
【００６２】
ベース部品２において、かつその中間部分において、長手貫通溝２３を得ることもできる。
【００６３】
任意に、作業位置にある取外し可能な係留手段の安全ロック／ロック解除手段を支持要素に設けることができる。そのような安全ロック／ロック解除手段は、たとえば、迅速取付構造体に、かつ支持要素の部品のうちの１つに挿入可能なピンまたはプラグを含み得る。
【００６４】
図１７〜図２４に例示される非限定的な実施例を特に参照して、ロック／ロック解除手段３１はベースプレート３１ａを含み、そこからピンまたはプラグ３１ｂが延在し、ピンまたはプラグ３１ｂは、キー部品７に形成されたシート７ｆ内に挿入されることができ、キー部品７のフォイル部分７ｇ、たとえば弾性の、任意に湾曲した部分をロック位置からロック解除位置に移動させるように意図される。フォイル部分７ｇは、実質的に円筒状の壁面７ｄから延在し、これにおいて得られるウィンドウ内に先端または端部が摺動可能に装着されることができる。本質的に、ロック／ロック解除手段３１が設置されるかまたは挿入されると、フォイル部分７ｇを押圧するかまたは変位させ、その先端もしくは自由端を、止め歯１７間の中間領域またはいずれにせよ開口部８の壁面に対する係合から、実質的に円筒状の壁面７ｄに形成されたそれぞれのウィンドウに向かってかつその内部に戻し、したがって、キー部品７を作業位置から静止位置に回転させることが可能である。代わりにロック／ロック解除手段が取外されると、フォイル７ｇは停止位置にスナップ嵌めされ、それぞれの先端が止め歯１７の間に挿入されるか、またはいずれにせよ開口壁８に当接され係合し、その位置では、キー部品７は作業位置から静止位置に回転することができず、したがって、ベース部品２およびパッド部品３を解放することは可能ではない。当然、ロック／ロック解除手段が係合または挿入されなくても、ベース部品２およびパッド部品３は互いに固定されるかまたは接続されることができる。
【００６５】
ロック手段３１はまた、ピンまたはプラグ３１ｂがそこから延在する面に対向するベースプレート３１ａの面から延在するハンドル部分３１ｃも含むことができる。
【００６６】
本発明に係る支持要素１、たとえばサドルの組立のために、ベース部品２の上側表面２ａとパッド部品３の下側表面３ｂとを、たとえば実質的に平行に、当接位置合せまたは接触させ、次いで、ベース部品２およびパッド部品３を取外し可能に係留するように、取外し可能な係留手段が駆動される。取外し可能な係留は、好ましくは手作業で行われる。
【００６７】
１つ以上の備品５または５０が設けられる場合は、ベース部品２とパッド部品３との間で作動するかまたは動作する係合手段によって上記のように固定されることができる。この場合、ベース部品２およびパッド部品３の当接または接触位置合わせの前に、プレート４ｄが設けられる場合は、任意にねじ込みにより、たとえばボルトもしくはねじ４ｂを介してまたは別の手段によって、ベース部品２またはパッド部品３に固定される。
【００６８】
取外し可能な係留手段を参照して、可動部品７が設けられる場合は、ベース部品２およびパッド部品３が接触または関連付けられた動作位置に導かれると、たとえば可動部品７を回転させ、かつたとえば軸ｘ−ｘを中心にグリップ部分７ａに対して手作業で作用することによって可動部品７が駆動される。代替的に、キー部品７は、軸ｘ−ｘに沿って開口部８に長手方向に挿入され得る。
【００６９】
また、ベース部品２およびパッド部品３の当接の前に、キー部品７を係留開口部８に装着することができる。この点に関し、キー部品７は、ベース部品２またはパッド部品３の外側から、任意にベース部品２の下側表面２ｂまたはパッド部品３の上側表面３ａから開口部８の内部に挿入されて、突出するか、または他方の表面、つまりベース部品２の上側表面２ａまたはパッド部品３の下側表面３ｂによって係合可能となり得る。
【００７０】
そのようなステップ中に、キー部品７および係留開口部８が上記のように作製されると、キー部品７は、つまみ１３がそれぞれの揺りかご状の部分１４に対して角度をなしてオフセットされた状態でまず開口部８に挿入される。この時点で、ベース部品２およびパッド部品３が組立てられており、それぞれの表面２ａおよび３ｂが当接されると、そのような部品２，３を取外し可能に係留するために、オペレータまたはユーザは、外側から可動部品７に対して、たとえばグリップ部分７ａに対して作用し、可動部品７の回転、第１の拘束手段９と第２の拘束手段１０との係合、およびそれぞれの揺りかご状部分１４に到達しそれに挿入されるまでのつまみ１３の角変位を推進する。
【００７１】
また、これらのステップの前に、ベース部品２およびパッド部品３のうちの一方において、ベース部品２およびパッド部品３のうちの他方に形成されたシート２２との摺動係合のために１つ以上の舌２１が設けられると、各舌２１は、まずそれぞれのシート２２に挿入され、次いでベース部品２の上側表面２ａの残りの部分（たとえば後部Ｒ）がパッド部品３の下側表面３ｂと当接される。
【００７２】
本発明に係る支持要素は、その場合、互いに異なる、特に寸法および／または形態が異なる複数のパッド部品３と組合せて使用され、それに拘束されることができるような構造および構成を有するベース部品２を含むことができる。特に図２５〜図２７参照。
【００７３】
この手段により、たとえば、すべてのまたは多くの種類のパッドをその上に拘束することができる標準的なベース部品２を提供することができ、したがって、同じベース部品２から始まり、所望のすべての種類のパッドを有するいずれかの種類の支持要素、特にサドルを得ることが可能である。
【００７４】
本発明によれば、上に示されるような支持要素の実現のためのキットも次いで提案され、該キットは、少なくとも１つのベース部品２と、互いに異なる形態または寸法を有する２つ以上のパッド部品３とを含み、各パッド部品には、ベース部品２に取外し可能に係留するための取外し可能な係留手段が設けられる。
【００７５】
この点に関し、パッド部品３は、ベース部品２に関して横方向に、かつ／または後部に、かつ／または前部に突出することができ、パッド部品３の使用時に下側の表面３ｂは、ベース部品２の使用時に上側の表面２ａより大きく、それを越えて延在することが有利である。この場合、係合手段は、パッド部品３の中心または中間領域において有利に得られることになり、したがって、パッド部品３がベース部品より大きな幅で、またはいずれにせよベース部品から突出する状態で、ベース部品２とパッド部品３とを取外し可能に係留することが可能である。
【００７６】
図２５〜図２７に例示される実施例によれば、パッド部品３の使用時に下側の表面３ｂはベース部品２の使用時に上側の表面２ａよりも大きく、側面のセクション３ｆｌ，３ｆ２とパッド部品３の後部のセクション３ｇとを越えて延在することができる。パッド部品３の下側表面３ｂは、自己担持または自己支持となるように特にそのセクション３ｆ１，３ｆ２，３ｇにおいてベース部品２に関して使用時に突出する、断面がＣ字状の構成を任意に有することができる。
【００７７】
また、上記のように、パッド部品３は、使用時に下側でありパッド部品３の下側表面３ｂを区切る剛性材料からなるベースすなわち第１の剛性支持層２４ａと、任意の発泡体からなり、第１の層２４ａに接続され、使用時にユーザと接触するパッド部品３の上側表面３ａをその自由面において区切るように意図される第２の軟性層２４ｂとを含むことができる。第２の軟性層２４ｂは、たとえば、成型、任意に射出成形もしくは注型成型されるか、または第１の剛性層２４ａ上に接着されることができ、逆もまた同様である。
【００７８】
第１の剛性層２４ａは、熱可塑性ポリマーおよび熱硬化性ポリマーからなる群から選択される材料で作製することができ、第２の軟性層２４ｂは、熱可塑性ゴム、発泡ポリウレタンおよびゲルからなる群から選択される材料で作製することができる。
【００７９】
支持する第１の剛性層２４ａは複数のリブ２５を含むことができ、複数のリブ２５は、特にパッド部品３のセクション３ｆ１，３ｆ２および３ｇにおいて支持要素２を補強するかまたは硬化させるように機能する。
【００８０】
ベース部品２またはパッド部品３は、次いで、任意に内方に先細りであってパッド部品３またはベース部品２のうちの他方によって区切られたシートまたはくぼんだ部分２７に、少なくとも部分的に、好ましくは完全に嵌合収容可能であるかまたは位置決め可能であるように構成されることができる。
【００８１】
また、シートまたはくぼんだ部分２７と、その中に、任意にその側壁の１つ以上の上に収容されたベース部品２またはパッド部品３とにおいて、ベース２およびパッド部品３のために、接続手段、任意に摺動接続手段を形成することができる。接続手段は、ベース部品２またはパッド部品３のうちの一方のエッジまたは側壁から延在する部分的に円錐形または切頭円錐形の構成をたとえば有する１つ以上のボスまたは突起２８と、パッド部品３またはベース部品２のうちの他方に、または望ましくはその中に形成されたくぼんだ部分２７に形成された１つ以上の溝とを含むことができ、突起２８は、各くぼんだ部分と嵌合挿入されるように意図される。
【００８２】
ベース部品２は、互いに摺動可能に係合され、したがって離れるようにまたは近づくように移動され、それによりベース部品２の幅を増減させることができる２つ以上の要素を含むことが有利である。互いに摺動可能に係合されたベース部品２の要素は、支持要素を厚くするか否かを決定するように、支持要素および／または鉛直面の拡大／縮小を決定するように使用時に水平な面上で摺動可能であることができる。この手段により、とりわけ、異なる寸法および／または形態のパッド部品３を支持するようにベース部品２を適合させることが可能である。
【００８３】
本発明に係る支持要素は、ベース部品２とパッド部品３との間に１つ以上の中間層を含むことができることが有利であり、該１つ以上の中間層は、任意にゴムまたは同様の材料からなり、ベース部品２の上側表面２ａのエッジとパッド部品３の下側表面３ｂのエッジとの間の空間または間隙を包囲するかまたは隠すように、かつそのような部品２，３の相対的な変位から生じる振動を抑制し、ノイズを減少させるように、これらの一方または両方の対面する自由縁の周りに部分的に延在されるように意図される。理解されるように、実際のところ、ベース部品２およびパッド部品３は通常プラスチックまたは同様の材料からなり、支持要素が自転車のサドルである場合、たとえばペダルの押圧中にこれらの相対的な変位によってきしみが起こり得る。上記の中間層は、したがって審美的および機能的な観点双方からの利点を保証することになる。
【００８４】
レールＲＡの先端は、ベース部品２と、ねじ３０を介してベース部品に固定されたプレート２９などとの間でも固定され得る。この解決策により、レールＲＡの挿入に伴って支持要素の部品の変形が回避されることが可能となる。
【００８５】
理解されるように、本発明に係る支持要素は、交換可能なパッド要素または１つ以上の備品を、迅速、容易、かつ安定したやり方で拘束することを可能にする。
【００８６】
また、本発明に係る支持要素は、ベース部品およびパッド部品が取外し可能に係留されることを可能にし、確実な係留をもたらしつつ、工具、たとえばドライバーの必要なしに、かつ迅速なやり方で、手作業によりそれらを拘束し解放することが可能である。
【００８７】
これにより、とりわけ、ユーザが望むときは常に、ベース部品なしにパッド部品をユーザが容易に解放し持ち運ぶことが可能となる。これは特に、支持要素がサドルである場合に有利であり、その場合、自転車またはサドルの想定される窃盗を可能な限り制限するように、ユーザ（サイクリスト）は、自分の車両を駐車するたびにパッドをベースから、したがって自転車から取外すことができる。
【００８８】
本発明に係る支持要素が複数のパッドのための１つ以上の標準的なベース部品を含む特定の場合、ユーザは、ベース部品２が購入されると、所望のパッド部品３を、よって好ましい寸法、高さおよび構成で用いることを決定することができる。
【００８９】
これにより、環境上の観点からも、パッド部品がより大きな摩耗を受ける部品であることを考慮に入れ、決定的に破損され、使用可能ではなくなると、ユーザは同じベース部品を保持しつつ、それを除去し新しいものに取り替え、したがって除去され廃棄される要素を減少させることができることを含む明確な利点が保証される。また、理解されるように、取外し可能な係留手段を設けることにより、従来の解決策と比較してより容易かつより安価なやり方でパッド部品を廃棄することができる。
【００９０】
上記のベース部品の使用に由来する別の利点は、たとえばパッドの快適さおよび形態という審美的または機能的なユーザの要望を満たす支持要素をユーザが実現することができるということにある。
【００９１】
また、ベース部品に関する限り、単一の生産ラインを設け、各々異なるベース部品または本体が設けられた様々な種類のサドルのために区別された生産ラインを有する必要性を回避することが可能であるため、生産上の利点が得られる。
【００９２】
また、１つまたはせいぜい２つのベース部品２から始まり、事実上すべての種類、たとえばレースタイプ、いわゆる「運動競技」タイプ、レジャータイプ、または、いずれにせよいわゆる「適度なリラックス」タイプのサドルを実現することが可能である。
【００９３】
好ましくは、２種類の標準的なベース部品は、一方にフォークまたはレールのための接続要素が設けられ、衝撃吸収要素がなく、他方は、任意にフォークまたはレールとそれぞれのベース部品との間に介在された、ばね、たとえばカップ状または螺旋形のエラストマーなどといった衝撃吸収要素を固定するように適合され得る。
【００９４】
請求項によって規定される保護の範囲内において、発明の修正および変形が可能である。
【図１】
0006602295.tif 000002
【図２】
0006602295.tif 000003
【図３】
0006602295.tif 000004
【図４】
0006602295.tif 000005
【図５】
0006602295.tif 000006
【図６】
0006602295.tif 000007
【図７】
0006602295.tif 000008
【図８】
0006602295.tif 000009
【図９】
0006602295.tif 000010
【図１０】
0006602295.tif 000011
【図１１】
0006602295.tif 000012
【図１２】
0006602295.tif 000013
【図１３】
0006602295.tif 000014
【図１４】
0006602295.tif 000015
【図１５】
0006602295.tif 000016
【図１６】
0006602295.tif 000017
【図１７】
0006602295.tif 000018
【図１８】
0006602295.tif 000019
【図１９】
0006602295.tif 000020
【図２０】
0006602295.tif 000021
【図２１】
0006602295.tif 000022
【図２２】
0006602295.tif 000023
【図２３】
0006602295.tif 000024
【図２４】
0006602295.tif 000025
【図２５】
0006602295.tif 000026
【図２６】
0006602295.tif 000027
【図２７】
0006602295.tif 000028